(57)【要約】【課題】通信検査を行う機器が設置された空間に作業者が立ち入ることなく通信検査を実施することができるインターホンシステム、及びこれに用いられる携帯端末を提供する。【解決手段】集合住宅に設置される複数の機器１０を備えるインターホンシステム１である。複数の機器１０は、ロビーインターホン２と、インターホン親機３と、制御装置６とを含む。複数の機器１０のうち１つの機器１０は、複数の機器１０間の通信状態の検査である通信検査を行う検査部６６を有する。複数の機器１０の少なくとも１つの機器１０は、携帯端末７と無線通信が可能な無線通信部６５を有する。検査部６６は、携帯端末７から送信された稼働信号を無線通信部６５が受信すると、稼働するように構成されている。【選択図】図１
2018026644.tif 000002
【特許請求の範囲】
【請求項１】
集合住宅に設置される複数の機器を備えるインターホンシステムであって、
前記複数の機器は、前記集合住宅のロビーに設置されるロビーインターホンと、前記集合住宅の住戸内に設置されるインターホン親機と、前記ロビーインターホンと前記インターホン親機との間の通信を制御する制御装置とを含み、
前記複数の機器のうち１つの機器は、前記複数の機器間の通信状態の検査である通信検査を行う検査部を有し、
前記複数の機器の少なくとも１つの機器は、携帯端末と無線通信が可能な無線通信部を有し、
前記検査部は、前記携帯端末から送信された稼働信号を前記無線通信部が受信すると、稼働するように構成されている
ことを特徴とするインターホンシステム。
【請求項２】
前記検査部は、前記携帯端末から送信された指示信号を前記無線通信部が受信すると、前記指示信号が指示する検査項目の検査を実行する
ことを特徴とする請求項１記載のインターホンシステム。
【請求項３】
前記制御装置は、前記検査部を有する
ことを特徴とする請求項１又は２記載のインターホンシステム。
【請求項４】
前記無線通信部は、前記複数の機器のうち当該無線通信部を有する第１機器とは別の第２機器から、前記第１機器に送信された起動信号によって起動するように構成されている
ことを特徴とする請求項１〜３のいずれか１項に記載のインターホンシステム。
【請求項５】
前記検査部は、前記無線通信部を介して前記携帯端末に検査結果を出力する
ことを特徴とする請求項１〜４のいずれか１項に記載のインターホンシステム。
【請求項６】
前記無線通信部は、前記複数の機器のうち少なくとも１つの機器が有する記憶部に記憶されているプログラムの更新データを含む無線信号を受信可能に構成される
ことを特徴とする請求項１〜５のいずれか１項に記載のインターホンシステム。
【請求項７】
請求項１〜６のいずれか１項に記載のインターホンシステムの前記無線通信部と無線通信が可能であり、前記稼働信号を前記無線通信部に送信する
ことを特徴とする携帯端末。
【発明の詳細な説明】
【技術分野】
【０００１】
本発明は、一般にインターホンシステム、及び携帯端末に関し、より詳細には集合住宅で用いられるインターホンシステム、及びこれに用いられる携帯端末に関する。
【背景技術】
【０００２】
従来、マンション等に設置される集合用インターホン装置がある（例えば、特許文献１参照）。特許文献１の集合用インターホン装置は、住戸インターホン親機と、管理室インターホン親機と、玄関機と、制御装置とで構成される。住戸インターホン親機は、集合住宅の各部屋に設置される。管理室インターホン親機は、管理室に設置される。玄関機は、共同玄関に設置される。制御装置は、各端末の信号伝送を制御する。
【０００３】
また、特許文献１には、集合用インターホン装置の施工確認を行う施工確認装置が開示されている。施工確認装置は、試験送信部と試験評価部とを備える。試験送信部は、伝送試験指令を受けると、制御装置に有線接続されている各端末を逐次選択して試験信号を送信し、その応答信号を受信する。試験評価部は、応答信号を評価して評価情報を生成する。施工確認装置は、インターホン装置に組み込まれて構成されており、施工確認装置の主要素である試験送信部、試験評価部が制御装置に設けられている。すなわち、制御装置は、試験送信部、試験評価部、それに加えて伝送試験指令操作を受け付ける操作部を備えている。
【先行技術文献】
【特許文献】
【０００４】
【特許文献１】特開２０１５−３２９８３号公報
【発明の概要】
【発明が解決しようとする課題】
【０００５】
特許文献１では、施工確認（通信検査）を実施する際、作業者が制御装置（機器）の操作部に対して伝送試験指令操作を行う必要があった。そのため、制御装置が設置された空間に作業者が立ち入ることができない場合、通信検査を実施することができなかった。
【０００６】
本発明は、上記事由に鑑みてなされており、その目的は、通信検査を行う機器が設置された空間に作業者が立ち入ることなく通信検査を実施することができるインターホンシステム、及びこれに用いられる携帯端末を提供することにある。
【課題を解決するための手段】
【０００７】
本発明の一実施形態に係るインターホンシステムは、集合住宅に設置される複数の機器を備えるインターホンシステムである。前記複数の機器は、ロビーインターホンと、インターホン親機と、制御装置とを含む。前記ロビーインターホンは、前記集合住宅のロビーに設置される。前記インターホン親機は、前記集合住宅の住戸内に設置される。前記制御装置は、前記ロビーインターホンとインターホン親機との間の通信を制御する。前記複数の機器のうち１つの機器は、前記複数の機器間の通信状態の検査である通信検査を行う検査部を有する。前記複数の機器の少なくとも１つの機器は、携帯端末と無線通信が可能な無線通信部を有する。前記検査部は、前記携帯端末から送信された稼働信号を前記無線通信部が受信すると、稼働するように構成されている。
【０００８】
本発明の一実施形態に係る携帯端末は、上記のインターホンシステムの前記無線通信部と無線通信が可能であり、前記稼働信号を前記無線通信部に送信する。
【発明の効果】
【０００９】
本発明のインターホンシステム、及びこれに用いられる携帯端末では、通信検査を行う機器が設置された空間に作業者が立ち入ることなく通信検査を実施することができるという効果がある。
【図面の簡単な説明】
【００１０】
【図１】図１は、本発明の一実施形態に係るインターホンシステムのブロック図である。
【図２】図２は、本発明の一実施形態の変形例に係るインターホンシステムのブロック図である。
【発明を実施するための形態】
【００１１】
以下、本発明の実施の形態を図面に基づいて説明する。
【００１２】
（実施形態）
＜詳細＞
本実施形態に係るインターホンシステム１のブロック図を図１に示す。本実施形態のインターホンシステム１は、集合住宅用のインターホンシステムであって、複数の機器１０を備えている。本実施形態における複数の機器１０は、ロビーインターホン２、複数（図１では２つ）のインターホン親機３、複数（図１では２つ）のインターホン子機４、制御装置６、及び管理室親機５を含んでいる。
【００１３】
ロビーインターホン２は、集合住宅のロビー９１（共用玄関）に設置されている。複数のインターホン親機３は、それぞれ複数の住戸９２内に設置されている。複数のインターホン子機４は、それぞれ複数の住戸９２の外玄関に設置されている。管理室親機５と制御装置６とは、集合住宅の管理室９３に設置されている。なお、制御装置６は、管理室９３とは異なる場所に設置されていてもよい。
【００１４】
ロビーインターホン２は、通信線８１を介して制御装置６に接続されており、制御装置６との間で通信線８１を介した有線通信が可能に構成されている。インターホン親機３は、通信線８２を介して制御装置６に接続されており、制御装置６との間で通信線８２を介した有線通信が可能に構成されている。また、インターホン親機３は、通信線８３を介してインターホン子機４に接続されており、インターホン子機４との間で通信線８３を介した有線通信が可能に構成されている。管理室親機５は、通信線８４を介して制御装置６に接続されており、制御装置６との間で通信線８４を介して有線通信が可能に構成されている。制御装置６は、ロビーインターホン２、インターホン親機３、管理室親機５からの信号を中継する中継器としての機能、及び機器１０（ロビーインターホン２、インターホン親機３、管理室親機５）間の通信を制御する通信制御機能を有している。制御装置６は、受信した信号に含まれているアドレスが示す機器１０（ロビーインターホン２、インターホン親機３、管理室親機５）へ信号を送信（中継）するように構成されている。なお、通信線８１，８２，８３，８４を区別しない場合、通信線８という。
【００１５】
ロビーインターホン２は、制御部２１、記憶部２２、有線通信部２３、撮像部２４、表示部２５、操作部２６、及び通話部２７を備えている。
【００１６】
制御部２１は、例えばＣＰＵ（Central Processing Unit）を備えており、ＣＰＵが記憶部２２に記憶されたプログラムを実行することにより所望の機能を実現する。制御部２１は、有線通信部２３、撮像部２４、表示部２５、操作部２６、及び通話部２７を制御するように構成されている。
【００１７】
有線通信部２３は、有線通信を行う通信モジュールである。有線通信部２３は、通信線８１を介して制御装置６に接続されている。
【００１８】
撮像部２４は、例えばカメラであり、来訪者の姿を撮像するように設けられている。
【００１９】
表示部２５は、例えば液晶ディスプレイ等の表示デバイスである。
【００２０】
操作部２６は、ポインティングデバイスであり、操作を受け付けるように構成されている。本実施形態では、操作部２６は、表示部２５と共にタッチパネルを構成している。
【００２１】
通話部２７は、マイクロホンとスピーカとを備えている。マイクロホンは、音声を集音し、集音した音声を音声信号に変換するように構成されている。スピーカは、音声信号を音声に変換して出力するように構成されている。
【００２２】
来訪者が操作部２６を用いて訪問先の住戸９２の部屋番号を入力すると、制御部２１は、指定された部屋番号の住戸９２に設置されているインターホン親機３宛ての呼出信号を、有線通信部２３から制御装置６に送信させる。また、制御部２１は、撮像部２４で撮像された来訪者の映像を表示部２５に表示させると共に、映像信号を有線通信部２３から制御装置６に送信させる。また、制御部２１は、通話部２７のマイクロホンが生成した音声信号を、有線通信部２３から制御装置６に送信させ、有線通信部２３が受信した音声信号をスピーカに出力してスピーカから音声を出力させる。
【００２３】
インターホン親機３は、制御部３１、記憶部３２、有線通信部３３、表示部３４、操作部３５、及び通話部３６を備えている。
【００２４】
制御部３１は、例えばＣＰＵを備えており、ＣＰＵが記憶部３２に記憶されたプログラムを実行することにより所望の機能を実現する。制御部３１は、有線通信部３３、表示部３４、操作部３５、及び通話部３６を制御するように構成されている。
【００２５】
有線通信部３３は、有線通信を行う通信モジュールである。有線通信部２３は、通信線８２を介して制御装置６に接続される第１通信モジュールと、通信線８３を介してインターホン子機４に接続される第２通信モジュールとを備えている。
【００２６】
表示部３４は、例えば液晶ディスプレイ等の表示デバイスである。
【００２７】
操作部３５は、ポインティングデバイスであり、操作を受け付けるように構成されている。本実施形態では、操作部３５は、表示部３４と共にタッチパネルを構成している。
【００２８】
通話部３６は、マイクロホンとスピーカとを備えている。マイクロホンは、音声を集音し、集音した音声を音声信号に変換するように構成されている。スピーカは、音声信号を音声に変換して出力するように構成されている。
【００２９】
制御部３１は、有線通信部３３が呼出信号を受信すると、スピーカから呼出し音を発生させる。また、制御部３１は、有線通信部３３が受信した映像信号を表示部３４に出力し、表示部３４にロビーインターホン２の撮像部２４（又はインターホン子機４の撮像部４４）の撮像データを表示させる。制御部３１は、操作部３５応答操作を受け付けると、通話部３６のマイクロホンが生成した音声信号を、有線通信部３３から制御装置６（又はインターホン子機４）に出力させる。また、制御部３１は、有線通信部３３が受信した音声信号をスピーカに出力してスピーカから音声を出力させる。
【００３０】
インターホン子機４は、制御部４１、記憶部４２、有線通信部４３、撮像部４４、操作部４５、及び通話部４６を備えている。
【００３１】
制御部４１は、例えばＣＰＵを備えており、ＣＰＵが記憶部４２に記憶されたプログラムを実行することにより所望の機能を実現する。制御部４１は、有線通信部４３、撮像部４４、操作部４５、及び通話部４６を制御するように構成されている。
【００３２】
有線通信部４３は、有線通信を行う通信モジュールである。有線通信部４３は、通信線８３を介してインターホン親機３の有線通信部３３に接続されている。
【００３３】
撮像部４４は、例えばカメラであり、来訪者を撮像するように設けられている。
【００３４】
通話部４６は、マイクロホンとスピーカとを備えている。マイクロホンは、音声を集音し、集音した音声を音声信号に変換するように構成されている。制御部４１は、マイクロホンが生成した音声信号を、有線通信部４３からインターホン親機３の有線通信部３３に送信させる。スピーカは、音声信号を音声に変換して出力するように構成されている。制御部４１は、有線通信部４３が受信した音声信号をスピーカに出力して、スピーカから音声を出力させる。
【００３５】
操作部４５は、例えば押ボタンスイッチ等の入力デバイスを備えており、操作を受け付けるように構成されている。
【００３６】
制御部４１は、操作部４５が呼出操作を受け付けると、有線通信部４３から呼出信号をインターホン親機３の有線通信部３３に送信させる。また、制御部４１は、撮像部４４が撮像した映像の信号（映像信号）を、有線通信部４３からインターホン親機３の有線通信部３３に送信させる。また、制御部４１は、通話部４６のマイクロホンが生成した音声信号を、有線通信部４３からインターホン親機３に送信させ、有線通信部４３が受信した音声信号をスピーカに出力してスピーカから音声を出力させる。
【００３７】
管理室親機５は、制御部５１、記憶部５２、有線通信部５３、表示部５４、操作部５５、及び通話部５６を備えている。
【００３８】
制御部５１は、例えばＣＰＵを備えており、ＣＰＵが記憶部５２に記憶されたプログラムを実行することにより所望の機能を実現する。制御部５１は、有線通信部５３、表示部５４、操作部５５、及び通話部５６を制御するように構成されている。
【００３９】
有線通信部５３は、有線通信を行う通信モジュールである。有線通信部５３は、通信線８４を介して制御装置６に接続されている。
【００４０】
表示部５４は、例えば液晶ディスプレイ等の表示デバイスである。
【００４１】
操作部５５は、ポインティングデバイスであり、操作を受け付けるように構成されている。本実施形態では、操作部５５は、表示部５４と共にタッチパネルを構成している。
【００４２】
通話部５６は、マイクロホンとスピーカとを備えている。マイクロホンは、音声を集音し、集音した音声を音声信号に変換するように構成されている。スピーカは、音声信号を音声に変換して出力するように構成されている。
【００４３】
管理者が操作部５５を操作して住戸９２の部屋番号を入力すると、制御部５１は、指定された部屋番号の住戸９２に設置されているインターホン親機３に対する呼出信号を、有線通信部５３から制御装置６に送信させる。また、制御部５１は、有線通信部５３が呼出信号を受信すると、スピーカから呼出し音を発生させる。制御部５１は、操作部５５が応答操作を受け付けると、通話部５６のマイクロホンが生成した音声信号を、有線通信部５３から制御装置６に出力させ、有線通信部５３が受信した音声信号をスピーカに出力してスピーカから音声を出力させる。
【００４４】
制御装置６は、制御部６１、記憶部６２、有線通信部６３、及び操作部６４を備えている。
【００４５】
制御部６１は、例えばＣＰＵを備えており、ＣＰＵが記憶部６２に記憶されたプログラムを実行することにより所望の機能を実現する。制御部６１は、有線通信部６３、及び操作部６４を制御するように構成されている。
【００４６】
有線通信部６３は、有線通信を行う通信モジュールである。有線通信部６３は、通信線８１を介してロビーインターホン２に接続される第１通信モジュールと、通信線８２を介してインターホン親機３に接続される第２通信モジュールと、通信線８４を介して管理室親機５に接続される第３通信モジュールとを備えている。
【００４７】
操作部６４は、例えば押ボタンスイッチ等の入力デバイスを備えており、操作を受け付けるように構成されている。
【００４８】
制御部６１は、有線通信部６３が受信した信号（呼出信号、音声信号、映像信号）を、送信先の機器１０（ロビーインターホン２、インターホン親機３、管理室親機５）に向けて有線通信部６３から送信させる。つまり、制御部６１は、ロビーインターホン２とインターホン親機３との間、ロビーインターホン２と管理室親機５との間、インターホン親機３と管理室親機５との間、インターホン親機３とインターホン親機３との間のそれぞれの通信を制御する。
【００４９】
また、制御装置６は、無線通信部６５、及び検査部６６を更に備えている。
【００５０】
無線通信部６５は、携帯端末７との間で、電波を媒体とする無線通信を行う通信モジュールである。無線通信部６５は、例えば特定小電力無線、Wi-Fi（登録商標）、Bluetooth（登録商標）等に準拠した無線通信を行う。
【００５１】
携帯端末７は、可搬型の端末であり、制御部７１、記憶部７２、無線通信部７３、表示部７４、及び操作部７５を備えている。携帯端末７は、通信検査専用の端末であってもよいし、スマートフォン、タブレット端末、ノートパソコンなどの汎用の端末であってもよい。
【００５２】
制御部７１は、例えばＣＰＵを備えており、ＣＰＵが記憶部７２に記憶されたプログラムを実行することにより所望の機能を実現する。制御部７１は、無線通信部７３、表示部７４、及び操作部７５を制御するように構成されている。無線通信部７３は、制御装置６の無線通信部６５との間で、電波を媒体とする無線通信を行う通信モジュールである。表示部７４は、例えば液晶ディスプレイ等の表示デバイスである。操作部７５は、ポインティングデバイスであり、操作を受け付けるように構成されている。本実施形態では、操作部７５は、表示部７４と共にタッチパネルを構成している。
【００５３】
また、無線通信部６５は、ロビーインターホン２、インターホン親機３、インターホン子機４、管理室親機５のうちいずれかの機器１０から送信された起動信号を有線通信部６３が受信したことをトリガとして、起動するように構成されている。本実施形態では、ロビーインターホン２において、制御部２１は、操作部２６が特定の起動操作を受け付けると、有線通信部２３から制御装置６の有線通信部６３に向けて起動信号を送信させる。制御装置６において、制御部６１は、有線通信部６３が起動信号を受信すると、無線通信部６５を起動させ無線通信が可能な状態にする。
【００５４】
また、無線通信部６５は、ロビーインターホン２、インターホン親機３、インターホン子機４、管理室親機５のうちいずれかの機器１０から送信された停止信号を有線通信部６３が受信したことをトリガとして、停止するように構成されている。本実施形態では、ロビーインターホン２において、制御部２１は、操作部２６が特定の停止操作を受け付けると、有線通信部２３から制御装置６の有線通信部６３に向けて停止信号を送信させる。制御装置６において、制御部６１は、有線通信部６３が停止信号を受信すると、無線通信部６５を停止させ無線通信が不可な状態にする。なお、無線通信部６５は、起動してから所定時間後（例えば１時間後）に停止するように構成されていてもよい。
【００５５】
検査部６６は、複数の機器１０間における通信状態の検査である通信検査を行うように構成されている。具体的には、検査部６６は、通信検査において、有線通信部６３からロビーインターホン２、複数のインターホン親機３、管理室親機５のそれぞれに向けて通信線８を介して試験信号を送信させる。ロビーインターホン２、複数のインターホン親機３、管理室親機５のそれぞれは、試験信号を受信すると応答信号を制御装置６に送信する。検査部６６は、有線通信部６３が受信した応答信号を評価し、評価結果に基づいて、ロビーインターホン２、複数のインターホン親機３、管理室親機５のそれぞれと、制御装置６との間の通信状態を検査する。また、検査部６６は、通信検査において、インターホン親機３からインターホン子機４に向けて試験信号を送信させる。そして、検査部６６は、インターホン親機３が受信したインターホン子機４からの応答信号を評価し、評価結果に基づいてインターホン親機３とインターホン子機４との間の通信状態を検査する。
【００５６】
通信検査には、通信品質を検査する品質検査、通信線８の接続状態を検査する接続検査等の検査項目が含まれている。品質検査の検査項目では、例えば、通信速度、Ｓ／Ｎ比（Signal-Noise Ratio）、エラー率、受信信号強度（RSSI:Received Signal Strength Indication）等を評価する。接続検査の検査項目では、例えば、通信線８の断線及び短絡、通信線８の接続先の正否、通信線８に接続される終端器の有無等を評価する。なお、通信検査には、上記以外の検査項目が含まれていてもよい。
【００５７】
また、検査部６６は、携帯端末７から送信された稼働信号を無線通信部６５が受信したことをトリガとして稼働し通信検査を行うように構成されている。具体的には、携帯端末７において、制御部７１は、操作部７５が特定の稼働操作を受け付けると、無線通信部７３から制御装置６の無線通信部６５に向けて稼働信号を送信させる。制御装置６において、制御部６１は、無線通信部６５が稼働信号を受信すると、検査部６６を稼働させる。検査部６６が稼働することによって、制御装置６の動作モードが検査モードとなる。なお、制御装置６の動作モードが通常モードである場合、機器１０（ロビーインターホン２、インターホン親機３、管理室親機５）間の通信を制御する。
【００５８】
また、検査部６６は、稼働状態であるときに、無線通信部６５が携帯端末７から送信された指示信号を受信すると、指示信号が指示する検査項目の検査を実行するように構成されている。具体的には、携帯端末７において、制御部７１は、通信検査の検査項目、検査対象とする機器１０の識別情報等を表示させ、これらを選択する選択操作を操作部７５が受け付けると、選択内容に基づいた指示信号を無線通信部７３から送信させる。制御装置６において、検査部６６は、無線通信部６５が受信した指示信号が示す検査項目を実行し、検査対象とする機器１０との間における通信状態を検査する。なお、選択操作において、通信検査の検査項目は、検査項目が個別に選択されてもよいし、全ての検索項目が選択されてもよい。また、選択操作において、検査対象する機器１０は、機器１０が個別に選択されてもよいし、全ての機器１０が選択されてもよい。
【００５９】
また、検査部６６は、通信検査の検査結果を記憶部６２に記憶する。さらに、検査部６６は、通信検査が完了すると、検査結果（評価結果）のデータを無線通信部６５から携帯端末７に送信させる。携帯端末７において、制御部７１は、無線通信部７３が受信した検査結果のデータを表示部７４に表示させる。
【００６０】
＜動作例＞
以下に、本実施形態のインターホンシステム１の動作例について説明する。ここでは、集合住宅に複数の機器１０を設置した後において、作業者が施工確認として通信検査を実施する際の動作の一例について説明する。
【００６１】
作業者は、ロビーインターホン２の操作部２６に対して起動操作を行う。ロビーインターホン２は、操作部２６が起動操作を受け付けることにより、制御装置６に向けて起動信号を送信する。制御装置６の無線通信部６５は、有線通信部６３が起動信号を受信することにより起動し、無線通信が可能な状態となる。
【００６２】
作業者は、携帯端末７の操作部７５に対して稼働操作を行う。携帯端末７は、操作部７５が稼働操作を受け付けることにより、制御装置６に向けて稼働信号を送信する。制御装置６は、無線通信部６５が稼働信号を受信することにより検査部６６が稼働し、検査モードとなる。
【００６３】
作業者は、携帯端末７の操作部７５に対して選択操作を行う。携帯端末７は、操作部７５が選択操作を受け付けることにより、制御装置６に向けて指示信号を送信する。制御装置６は、無線通信部６５が指示信号を受信することにより、検査部６６が、指示信号が示す通信検査の検査項目を実行する。制御装置６は、検査部６６が通信検査を完了すると、携帯端末７に向けて検査結果のデータを送信する。携帯端末７は、無線通信部７３が受信した検査結果のデータを表示部７４に表示させる。これにより、作業者は、携帯端末７の表示部７４で通信検査の検査結果を確認することができる。
【００６４】
＜変形例＞
以下に、本実施形態のインターホンシステム１の変形例について説明する。
【００６５】
上述した例では、制御装置６が無線通信部６５を備えているが、この構成に限らない。図２に示すように、ロビーインターホン２、複数のインターホン親機３、複数のインターホン子機４、管理室親機５が、それぞれ、携帯端末７との間で無線通信が可能な無線通信部２８，３７，４７，５７を更に備えていてもよい。検査部６６は、無線通信部２８，３７，４７，５７，６５のうちいずれか１つが携帯端末７からの稼働信号を受信すると、稼働するように構成されている。
【００６６】
例えば、ロビーインターホン２において、無線通信部２８が携帯端末７からの稼働信号を受信すると、制御部２１は、稼働信号を中継した中継稼働信号を、有線通信部２３から制御装置６の有線通信部６３に向けて送信させる。制御装置６において、制御部６１は、有線通信部６３が中継稼働信号を受信すると、検査部６６を稼働させる。つまり、制御部６１は、無線通信部６５が稼働信号を受信した場合、又は、有線通信部６３が中継稼働信号を受信した場合、検査部６６を稼働させる。
【００６７】
また、ロビーインターホン２において、無線通信部２８が携帯端末７からの指示信号を受信すると、制御部２１は、指示信号を中継した中継指示信号を有線通信部２３から制御装置６の有線通信部６３に向けて送信させる。中継指示信号には、指示信号が示す検査項目の情報が含まれている。制御装置６において、検査部６６は、有線通信部６３が受信した中継指示信号が示す通信検査の検査項目を実行する。また、検査部６６は、通信検査の検査結果のデータを、有線通信部６３からロビーインターホン２に向けて送信させる。ロビーインターホン２の制御部２１は、有線通信部２３が受信した通信検査の検査結果のデータを、無線通信部２８から携帯端末７に送信させる。
【００６８】
なお、無線通信部２８を介して稼働信号、指示信号が中継される場合を示したが、無線通信部３７，４７，５７についても無線通信部２８と同様に、無線通信部３７，４７，５７を介して稼働信号、指示信号が中継される。
【００６９】
つまり、検査部６６は、インターホンシステム１が備える複数の機器１０それぞれに設けられた無線通信部２８，３７，４７，５７，６５のうちいずれか１つが携帯端末７からの稼働信号を受信すると稼働する。なお、インターホンシステム１が備える複数の機器１０の全てが携帯端末７との間で無線通信が可能な無線通信部（２８，３７，４７，５７，６５）を有する必要はない。インターホンシステム１が備える複数の機器１０のうち少なくとも１つの機器１０が無線通信部を有していればよい。
【００７０】
また、上述した例では、ロビーインターホン２が起動信号を送信するように構成されているが、これに限らない。インターホン親機３、インターホン子機４、管理室親機５、制御装置６のそれぞれが有する操作部３５，４５，５５，６４が起動操作を受け付けるように構成されていてもよい。操作部３５，４５，５５，６４のいずれかが起動操作を受け付けることによって、無線通信部（２８，３７，４７，５７，６５）を有する機器１０に向けて起動信号を送信する。
【００７１】
例えば、インターホン子機４は、操作部４５が特定の起動操作を受け付けると、インターホン親機３へ起動信号を送信する。インターホン親機３の無線通信部３７は、有線通信部３３がインターホン子機４からの起動信号を受信したことをトリガとして起動する。なお、インターホン子機４の操作部４５は、呼出操作を受け付ける第１押ボタンスイッチとは別に、起動操作を受け付ける第２押ボタンスイッチを備えていることが好ましい。第２押ボタンスイッチは、来訪者等が誤って操作しないように、隠れた位置に設けられていることが好ましい。
【００７２】
また、インターホン親機３、インターホン子機４、管理室親機５、制御装置６のそれぞれが有する操作部３５，４５，５５，６４が停止操作を受け付けるように構成されていてもよい。操作部３５，４５，５５，６４のいずれかが停止操作を受け付けることによって、無線通信部（２８，３７，４７，５７，６５）を有する機器１０に向けて停止信号を送信する。
【００７３】
また、上述した例では、制御装置６が検査部６６を有しているが、他の機器１０が、通信検査を行う検査部６６を有していてもよい。
【００７４】
また、上述した例では、携帯端末７は、稼働信号と指示信号とを別々に送信しているが、稼働信号と指示信号とをまとめた１つの信号を送信するように構成されていてもよい。
【００７５】
また、携帯端末７は、ロビーインターホン２、インターホン親機３、インターホン子機４、管理室親機５、制御装置６それぞれの記憶部２２，３２，４２，５２，６２に記憶されたプログラムの更新データを含む無線信号を送信するように構成されていてもよい。記憶部２２，３２，４２，５２，６２それぞれに記憶されているプログラムは、更新データに基づいてアップデートされる。
【００７６】
例えば、制御装置６の無線通信部６５が、記憶部６２に記憶されているプログラムの更新データを含む無線信号を受信した場合、制御部６１は、更新データに基づいて記憶部６２に記憶されているプログラムをアップデートする。また、制御装置６の無線通信部６５が、ロビーインターホン２の記憶部２２に記憶されているプログラムの更新データを含む無線信号を受信した場合、制御部６１は、更新データを含む信号を有線通信部６３からロビーインターホン２に向けて送信させる。ロビーインターホン２の制御部２１は、制御装置６から送信された信号に含まれる更新データに基づいて記憶部２２に記憶されているプログラムをアップデートする。
【００７７】
また、上述した例では、インターホンシステム１が備える機器１０の例として、ロビーインターホン２、インターホン親機３、インターホン子機４、管理室親機５、及び制御装置６を挙げたが、これらの機器１０に限らない。インターホンシステム１は、例えば集合住宅の共用エリアに設けられる電子掲示物（デジタルサイネージ、液晶モニタ）等を機器１０として備えていてもよい。また、管理室９３がない集合住宅である場合、管理室親機５が省略されていてもよい。
【００７８】
＜まとめ＞
第１態様に係るインターホンシステム１は、集合住宅に設置される複数の機器１０を備えるインターホンシステム１である。複数の機器１０は、ロビーインターホン２と、インターホン親機３と、制御装置６とを含む。ロビーインターホン２は、集合住宅のロビー９１に設置される。インターホン親機３は、集合住宅の住戸９２内に設置される。制御装置６は、ロビーインターホン２とインターホン親機３との間の通信を制御する。複数の機器１０のうち１つの機器１０は、複数の機器１０間の通信状態の検査である通信検査を行う検査部６６を有する。複数の機器１０の少なくとも１つの機器１０は、携帯端末７と無線通信が可能な無線通信部（２８，３７，４７，５７，６５）を有する。検査部６６は、携帯端末７から送信された稼働信号を無線通信部（２８，３７，４７，５７，６５）が受信すると、稼働するように構成されている。
【００７９】
上記構成により、無線通信によって検査部６６を稼働させることができる。つまり、検査部６６を有する機器１０から離れた位置で検査部６６を稼働させることができる。したがって、検査部６６を有する機器１０が設置された空間に、作業者が立ち入ることなく通信検査を行うことが可能となる。作業者は、機器１０が設置された空間への立ち入り許可を得るのを待つ必要がないので、作業効率の向上を図ることが可能となる。また、作業者は、椅子、机等がある場所で、携帯端末７を操作して通信検査を実施することができるので、作業者が立ち作業をする必要がなく作業効率の向上を図ることが可能となる。
【００８０】
第２態様に係るインターホンシステム１は、第１態様において、検査部６６は、携帯端末７から送信された指示信号を無線通信部６５が受信すると、指示信号が指示する検査項目の検査を実行することが好ましい。
【００８１】
上記構成により、作業者が携帯端末７を用いて、任意の検査項目の検査を行わせることができ、作業効率の向上を図ることが可能となる。
【００８２】
第３態様に係るインターホンシステム１は、第１又は第２態様において、制御装置６は、検査部６６を有することが好ましい。
【００８３】
上記構成により、制御装置６が管理室９３に設置されている場合、作業者が管理室９３に立ち入ることなく通信検査を行うことが可能となる。作業者が管理室９３に立ち入れない理由として、例えば集合住宅の施工時において管理室９３が工事中である、深夜での作業により管理室９３が開いていない等がある。また、集合住宅の改装中、改修中であって管理人が管理室９３で管理業務を行っている、管理室９３が狭く作業者が作業スペースの確保が困難である等の理由によって、作業者が管理室９３に立ち入ることが好ましくない場合もある。このような場合でも、作業者が管理室９３に立ち入ることなく通信検査を実施することが可能となるので、作業効率の向上を図ることが可能となる。例えば、作業者は、管理室９３の工事が完了することなく通信検査を実施することが可能となる。
【００８４】
第４態様に係るインターホンシステム１は、第１〜第３態様のいずれかにおいて、無線通信部（２８，３７，４７，５７，６５）は、複数の機器１０のうち当該無線通信部（２８，３７，４７，５７，６５）を有する第１機器とは別の第２機器から、第１機器に送信された起動信号によって起動するように構成されていることが好ましい。
【００８５】
上記構成により、複数の機器１０が無線通信部（２８，３７，４７，５７，６５）を備えている場合であっても、作業者は、携帯端末７とペアリングする機器１０を選択することが可能となる。これにより、携帯端末７との間の無線通信において通信環境が良好な機器１０が有する無線通信部（２８，３７，４７，５７，６５）を起動させることができ、無線通信の通信不良を抑制することが可能となる。また、無線通信が不要である場合、無線通信部（２８，３７，４７，５７，６５）が停止状態となるので、消費電力の低減を図ることが可能となる。
【００８６】
第５態様に係るインターホンシステム１は、第１〜第４態様のいずれかにおいて、検査部６６は、無線通信部６５を介して携帯端末７に検査結果を出力することが好ましい。
【００８７】
上記構成により、作業者は、携帯端末７を用いて通信検査の検査結果を確認することが可能となる。
【００８８】
第６態様に係るインターホンシステム１は、第１〜第５態様のいずれかにおいて、前記無線通信部（２８，３７，４７，５７，６５）は、複数の機器１０のうち少なくとも１つの機器１０が有する記憶部（２２，３２，４２，５２，６２）に記憶されているプログラムの更新データを含む無線信号を受信可能に構成されていることが好ましい。
【００８９】
上記構成により、インターホンシステム１が備える複数の機器１０のアップデートを容易に行うことが可能となる。
【００９０】
第７態様に係る携帯端末７は、第１〜第６態様のいずれかのインターホンシステム１の無線通信部６５と無線通信が可能であり、稼働信号を無線通信部６５に送信する。
【００９１】
上記構成により、無線通信によって検査部６６を稼働させることができる。つまり、検査部６６を有する機器１０から離れた位置で検査部６６を稼働させることができる。したがって、検査部６６を有する機器１０が設置された空間に、作業者が立ち入ることなく通信検査を実施することが可能となり、作業効率の向上を図ることが可能となる。
【００９２】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００９３】
１  インターホンシステム
１０  機器
２  ロビーインターホン
２８  無線通信部
３  インターホン親機
３７  無線通信部
４７  無線通信部
５７  無線通信部
６  制御装置
６５  無線通信部
６６  検査部
７  携帯端末
９１  ロビー
９２  住戸
【図１】
2018026644.tif 000003
【図２】
2018026644.tif 000004